(57)【要約】【課題】電池電圧を検出し、電池電圧低下の初期の段階でユーザーに対して電池の交換を促し、つぎの段階で空気調和機のワイヤレス・リモート・コントロール装置の機能を停止する空気調和機のワイヤレス・リモート・コントロール装置を得ること。【解決手段】電池電圧検出回路４０が電池３０の電圧を検出し、基準電圧値Ａ低下判定手段１４は、検出した電池の電圧が基準電圧値Ａ以下の場合、電圧低下表示手段６０に警告表示信号を出力する。電圧低下表示手段６０は、警告表示信号に基づき電池交換警告表示を表示する。基準電圧値Ｂ低下判定手段１５は、検出した電池の電圧が基準電圧値Ａよりも小さい基準電圧値Ｂ以下の場合、全機能停止手段７０に全機能停止信号を出力する。全機能停止手段７０は、全機能停止信号に基づき空気調和機のワイヤレス・リモート・コントロール装置の全機能を停止する。【選択図】　　　図１
2004092946.tif 000002
【特許請求の範囲】
【請求項１】
スイッチマトリクス回路のどのスイッチが操作されたかを識別するスイッチ入力検出手段と、
前記識別されたスイッチに対応した送信コードを生成する送信出力コード生成手段と、
前記送信コードを空気調和機の室内機に送信する送信出力コード送信手段と、
を備え、電池で動作する空気調和機のワイヤレス・リモート・コントロール装置において、
前記電池の電圧値を検出する電池電圧検出回路と、
前記検出された電圧値と第１の基準電圧値とを比較し、その結果、前記検出された電圧値が前記第１の基準電圧値以下の場合には、電池交換警告表示の表示を行うための警告表示信号を出力する第１の基準電圧値低下判定手段と、
前記警告表示信号に基づいて電池交換警告表示を行う電圧低下表示手段と、
前記検出された電圧値と前記第１の基準電圧値よりも小さい第２の基準電圧値とを比較し、その結果、前記検出された電圧値が前記第２の基準電圧値以下の場合には、全機能停止信号を出力する前記第２の基準電圧値低下判定手段と、
前記全機能停止信号に基づいて前記スイッチ入力検出手段、前記送信出力コード生成手段、前記送信出力コード送信手段、前記第１の基準電圧値低下判定手段および第２の基準電圧値低下判定手段の動作を停止させる全機能停止手段と、
をさらに備えることを特徴とする空気調和機のワイヤレス・リモート・コントロール装置。
【請求項２】
スイッチマトリクス回路のどのスイッチが操作されたかを識別するスイッチ入力検出手段と、
前記識別されたスイッチに対応した送信コードを生成する送信出力コード生成手段と、
前記送信コードを空気調和機の室内機に送信する送信出力コード送信手段と、
を備え、電池で動作する空気調和機のワイヤレス・リモート・コントロール装置において、
前記電池の電圧値を検出する電池電圧検出回路と、
時間の計測を行うタイマー手段と、
前記検出された電圧値と所定の基準電圧値とを比較し、その結果、前記検出された電圧値が前記所定の基準電圧値以下の場合には、電池交換警告表示の表示を行うための警告表示信号を出力するとともにタイマー手段に所定の時間の計測の開始を指定し、前記タイマー手段が時間の計測を終了すると全機能停止信号を出力する基準電圧値低下判定手段と、
前記警告表示信号に基づいて電池交換警告表示を行う電圧低下表示手段と、
前記全機能停止信号に基づいて前記スイッチ入力検出手段、前記送信出力コード生成手段、前記送信出力コード送信手段、前記基準電圧値低下判定手段およびタイマー手段の動作を停止させる全機能停止手段と、
をさらに備えることを特徴とする空気調和機のワイヤレス・リモート・コントロール装置。
【発明の詳細な説明】
【０００１】
【発明の属する技術分野】
本発明は、空気調和機を制御する空気調和機のワイヤレス・リモート・コントロール装置に関するものであり、特に、電池電圧の基準電圧値を検出して、その検出電圧に対応して動作する空気調和機のワイヤレス・リモート・コントロール装置に関するものである。
【０００２】
【従来の技術】
空気調和機の設定には、赤外線を用いたワイヤレス・リモート・コントロール装置が使用される。この空気調和機のワイヤレス・リモート・コントロール装置は、空気調和機の操作、たとえば、空気調和機のオン／オフや温度設定を行うためのスイッチマトリクス回路と、それらスイッチマトリクス回路からの情報を空気調和機に送信するコードに変換処理するマイクロコンピュータと、変換されたコードを赤外線通信により空気調和機の室内機に向けて出力するワイヤレス信号出力回路と、動作や温度を表示する表示部と、これらの回路に電源を供給する電池とで構成されている。
【０００３】
つぎに、空気調和機のワイヤレス・リモート・コントロール装置の動作を説明する。ユーザーがスイッチマトリクス回路の所定のスイッチをオンすると、マイクロコンピュータは、ユーザーによってオンされたスイッチに対応したコードを出力する。ワイヤレス信号出力回路は、赤外線通信により、マイクロコンピュータから出力されたコードを空気調和機の室内機に向けて出力する。赤外線通信により空気調和機のワイヤレス・リモート・コントロール装置から所定のコードを受信すると、空気調和機の室内機は、受信したコードに対応した動作を行う。このように空気調和機の室内機は、ワイヤレス・リモート・コントロール装置を介してユーザーの希望する動作を行う。
【０００４】
しかしながら、ワイヤレス・リモート・コントロール装置は、電池で動作しており、空気調和機の室内機に対して赤外線通信を行うと、電池電圧が低下していく。電池電圧が一定レベルより低下した場合、警告なしに空気調和機のワイヤレス・リモート・コントロール装置から発信する赤外線信号の到達距離が短くなったり、表示部の表示が見えにくくなるという問題があった。
【０００５】
また、電池低下をユーザーに通知する手段を持っていないため、ユーザーが電池を交換するタイミングがわからない。そのため、電池を交換せずにワイヤレス・リモート・コントロール装置を使用し続けた場合、マイクロコンピュータを正常に動作させることができなくなる。すなわち、マイクロコンピュータが暴走してしまい、空気調和機の室内機が予期しない動作をするという問題もあった。
【０００６】
さらに、マイクロコンピュータが暴走した場合には、マイクロコンピュータをリセットして復帰させなければならない。そのため、空気調和機のワイヤレス・リモート・コントロール装置にリセットボタンを設ける必要があり、生産コストが高くなるという問題もあった。
【０００７】
このような問題を改善するために、空気調和機のワイヤレス・リモート・コントロール装置の電池電圧を検出し、ユーザーに電池電圧の低下を通知するような技術が考えられている。
【０００８】
空気調和機のワイヤレス・リモート・コントロール装置の電池電圧を検出し、ユーザー電池の交換を促す従来技術として、特開昭６２−４１５５２号公報がある。
【０００９】
特開昭６２−４１５５２号公報では、電池電圧を測定し、測定した電池電圧が所定の電圧レベルよりも低い場合には、通常の空気調和機の室内機との通信を行うとともに表示部を点灯させるなどして電池電圧低下の警告を発するか、プログラムを警告出力処理ルーチン内でループさせて、電池の交換を行わない限り、空気調和機のワイヤレス・リモート・コントロール装置が動作しないようにしている。
【００１０】
【発明が解決しようとする課題】
しかしながら、上記従来技術では、ユーザーに対して電池電圧の低下の警告を行っているものの、空気調和機の室内機との通信などの諸動作を行っている。このため、ユーザーが警告に気が付かなかったり、無視した場合には、電池電圧が低下し、マイクロコンピュータが暴走してしまうという課題があった。
【００１１】
また、警告出力処理ルーチン内でループさせて空気調和機のワイヤレス・リモート・コントロール装置の動作を停止すると、たとえば、空気調和機の室内機をオンにしていた場合に、オフにできなくなってしまうなど、使い勝手が悪くなってしまうという問題があった。すなわち、電池電圧の警告とともに空気調和機のワイヤレス・リモート・コントロール装置が操作不能となってしまうという問題があった。
【００１２】
この発明は上記に鑑みてなされたもので、電池電圧を検出し、電池電圧低下の初期の段階で、ユーザーに対して電池の交換を促し、つぎの段階で、空気調和機のワイヤレス・リモート・コントロール装置の機能を停止する空気調和機のワイヤレス・リモート・コントロール装置を得ることを目的としている。
【００１３】
【課題を解決するための手段】
上記目的を達成するために、この発明にかかる空気調和機のワイヤレス・リモート・コントロール装置は、スイッチマトリクス回路のどのスイッチが操作されたかを識別するスイッチ入力検出手段と、前記識別されたスイッチに対応した送信コードを生成する送信出力コード生成手段と、前記送信コードを空気調和機の室内機に送信する送信出力コード送信手段とを備え、電池で動作する空気調和機のワイヤレス・リモート・コントロール装置において、前記電池の電圧値を検出する電池電圧検出回路と、前記検出された電圧値と第１の基準電圧値とを比較し、その結果、前記検出された電圧値が前記第１の基準電圧値以下の場合には、電池交換警告表示の表示を行うための警告表示信号を出力する第１の基準電圧値低下判定手段と、前記警告表示信号に基づいて電池交換警告表示を行う電圧低下表示手段と、前記検出された電圧値と前記第１の基準電圧値よりも小さい第２の基準電圧値とを比較し、その結果、前記検出された電圧値が前記第２の基準電圧値以下の場合には、全機能停止信号を出力する前記第２の基準電圧値低下判定手段と、前記全機能停止信号に基づいて前記スイッチ入力検出手段、前記送信出力コード生成手段、前記送信出力コード送信手段、前記第１の基準電圧値低下判定手段および第２の基準電圧値低下判定手段の動作を停止させる全機能停止手段とをさらに備えることを特徴とする。
【００１４】
この発明によれば、電池電圧検出回路が空気調和機のワイヤレス・リモート・コントロール装置の電源を供給している電池の電圧を検出し、異なる２種類の基準電圧値を用いて電池の寿命を判定する。まず、検出した電池の電圧が第１の基準電圧値以下に低下した場合は、電池交換警告表示を表示する。さらに電池の電圧が低下し、検出した電池の電圧が第１の基準電圧値よりも小さい第２の基準電圧値以下に低下した場合、空気調和機のワイヤレス・リモート・コントロール装置の全ての機能を停止するようにしている。
【００１５】
つぎの発明にかかる空気調和機のワイヤレス・リモート・コントロール装置は、スイッチマトリクス回路のどのスイッチが操作されたかを識別するスイッチ入力検出手段と、前記識別されたスイッチに対応した送信コードを生成する送信出力コード生成手段と、前記送信コードを空気調和機の室内機に送信する送信出力コード送信手段とを備え、電池で動作する空気調和機のワイヤレス・リモート・コントロール装置において、前記電池の電圧値を検出する電池電圧検出回路と、時間の計測を行うタイマー手段と、前記検出された電圧値と所定の基準電圧値とを比較し、その結果、前記検出された電圧値が前記所定の基準電圧値以下の場合には、電池交換警告表示の表示を行うための警告表示信号を出力するとともにタイマー手段に所定の時間の計測の開始を指定し、前記タイマー手段が時間の計測を終了すると全機能停止信号を出力する基準電圧値低下判定手段と、前記警告表示信号に基づいて電池交換警告表示を行う電圧低下表示手段と、前記全機能停止信号に基づいて前記スイッチ入力検出手段、前記送信出力コード生成手段、前記送信出力コード送信手段、前記基準電圧値低下判定手段およびタイマー手段の動作を停止させる全機能停止手段とをさらに備えることを特徴とする。
【００１６】
この発明によれば、電池電圧検出回路が空気調和機のワイヤレス・リモート・コントロール装置の電源を供給している電池の電圧を検出し、基準電圧値と時間の経過に基づいて電池の寿命を判定する。まず、検出した電池の基準電圧値以下に低下した場合は、電池交換警告表示を表示するとともに所定の時間の計測を開始する。そして、計測が終了した場合には、空気調和機のワイヤレス・リモート・コントロール装置の全ての機能を停止するようにしている。
【００１７】
【発明の実施の形態】
以下に添付図面を参照して、この発明にかかる空気調和機のワイヤレス・リモート・コントロール装置の好適な実施の形態を詳細に説明する。
【００１８】
図１〜図３を用いて本発明の実施の形態を説明する。図１は、本実施の形態の空気調和機のワイヤレス・リモート・コントロール装置の構成を示すブロック図である。本実施の形態の空気調和機のワイヤレス・リモート・コントロール装置は、マイクロコンピュータ１０と、スイッチマトリクス回路２０と、電池３０と、送信出力コード送信手段５０と、電圧低下表示手段６０と、全機能停止手段７０とを備えている。
【００１９】
スイッチマトリクス回路２０は、ユーザーにより空気調和機のオン／オフや温度設定などの空気調和機の操作が入力され、たとえば、所定の動作に対応した複数の押しボタンなどで構成される。電池３０は、空気調和機のワイヤレス・リモート・コントロール装置を動作させるための電源を供給する。電池電圧検出回路４０は、スイッチマトリクス回路２０が押されると、電池３０の電圧値を検出しマイクロコンピュータ１０の電池電圧検出手段１３に送信する。
【００２０】
マイクロコンピュータ１０は、スイッチマトリクス回路２０からの情報を空気調和機に送信するコードに変換するとともに、電池電圧検出回路４０が検出した電池３０の電圧値と２種類の基準電圧値とを比較し、比較結果に基づいて電池交換警告の表示を行うか、空気調和機のワイヤレス・リモート・コントロール装置の機能を停止するかを決定する。２種類の基準電圧値Ａ，Ｂは、Ａ＞Ｂの関係が成り立つように予め設定しておく。また、機能の停止を判断する基準電圧値Ｂについては、機能を停止してからもマイクロコンピュータ１０が所定時間暴走することなく動作可能なレベルに設定しておく。
【００２１】
マイクロコンピュータ１０は、プログラムで処理され、その処理は、スイッチ入力検出手段１１と、送信出力コード生成手段１２と、電池電圧検出手段１３と、基準電圧値Ａ低下判定手段１４と、基準電圧値Ｂ低下判定手段１５とで構成される。スイッチ入力検出手段１１は、スイッチマトリクス回路２０のどのボタンが押されたか、すなわち、ユーザーが希望する動作を判定する。送信出力コード生成手段１２は、スイッチ入力検出手段１１が判定した動作を空気調和機の室内機にさせるための送信コードを生成する。電池電圧検出手段１３は、電池電圧検出回路４０が検出した電池電圧を受信する。基準電圧値Ａ低下判定手段１４は、予め定められた基準電圧値Ａと電池電圧検出手段１３から入力された電池電圧とを比較し、電池低下の表示を行うか否かを判定する。基準電圧値Ｂ低下判定手段１５は、予め定められた基準電圧値Ｂと電池電圧検出手段１３から入力された電池電圧とを比較し、空気調和機のワイヤレス・リモート・コントロール装置の機能を停止するか否かを判定する。
【００２２】
送信出力コード送信手段５０は、空気調和機の室内機（図示せず）に送信出力コード生成手段１２により生成された送信コードを送信する。電圧低下表示手段６０は、基準電圧値Ａ低下判定手段１４の指定に基づいて電圧低下を表示する。全機能停止手段７０は、基準電圧値Ｂ低下判定手段１５の指定に基づいて空気調和機のワイヤレス・リモート・コントロール装置の全機能を停止する。
【００２３】
つぎに、図２のフローチャートを参照して本実施の形態の空気調和機のワイヤレス・リモート・コントロール装置の動作を説明する。図２のフローチャートは、マイクロコンピュータ１０の処理動作を示している。
【００２４】
まず、空気調和機の室内機に所望の動作をさせる通常の動作について説明する。ユーザーが空気調和機の室内機に所望の動作をさせるために、スイッチマトリクス回路２０を操作する。スイッチ入力検出手段１１は、スイッチマトリクス回路２０のどのスイッチが押されたかを判別する（ステップＳ１１０）。そして、送信出力コード生成手段１２に判別結果を出力する。送信出力コード生成手段１２は、判別結果に対応した送信コードを生成する。そして、送信出力コード生成手段１２に送信コードを出力する（ステップＳ１２０）。送信出力コード送信手段５０は、赤外線を用いて空気調和機の室内機に送信コードを送信する。これにより、空気調和機の室内機がユーザーの所望の動作を行う。
【００２５】
一方、ユーザーによりスイッチマトリクス回路２０が押されると、電池電圧検出回路４０は、電池３０の電圧を検出する。そして、マイクロコンピュータ１０の入力ポートを介して電池電圧検出手段１３に検出した電圧値を送信する。電池電圧検出手段１３は、基準電圧値Ａ低下判定手段１４と基準電圧値Ｂ低下判定手段１５とに受信した電圧値を出力する（ステップＳ１３０）。
【００２６】
基準電圧値Ａ低下判定手段１４は、電池電圧検出手段１３から入力された電圧値と基準電圧値Ａとを比較する。比較結果が電池電圧検出手段１３から入力された電圧値が基準電圧値Ａよりも大きい場合は（ステップＳ１４０，Ｙｅｓ）、電池３０が空気調和機のワイヤレス・リモート・コントロール装置を動作させるために十分な電圧があると判断し、スイッチマトリクス回路２０のどのボタンを押されたかの判別を行い、その判別結果に対応した送信コードを送信出力コード送信手段５０に出力するとともに電池電圧値の判定を行う動作（ステップＳ１１０〜Ｓ１４０）を繰り返す。
【００２７】
比較結果が電池電圧検出手段１３から入力された電圧値が基準電圧値Ａ以下の場合には（ステップＳ１４０，Ｎｏ）、基準電圧値Ａ低下判定手段１４は、出力ポートＰＯＡを介して、電圧低下表示手段６０に電池交換警告表示を行うための警告表示信号を出力する（ステップＳ１５０）。電圧低下表示手段６０は、警告表示信号に基づいて電池交換警告を表示する。
【００２８】
基準電圧値Ａ低下判定手段１４が警告表示信号を出力した後、電池電圧値Ｂ低下判定手段１５は、電池電圧検出手段１３から入力された電圧値と基準電圧値Ｂとを比較する。比較結果が電池電圧検出手段１３から入力された電圧値が基準電圧値Ｂよりも大きい場合は（ステップＳ１６０，Ｙｅｓ）、電池交換警告表示を行っているが、電池３０は空気調和機のワイヤレス・リモート・コントロール装置を動作させるだけの電圧が残っていると判断し、スイッチマトリクス回路２０のどのボタンが押されたかを判別し、その判別結果に対応した送信コードを送信出力コード送信手段５０に出力するとともに警告表示信号を出力する動作（ステップＳ１１０〜Ｓ１６０）を繰り返す。
【００２９】
比較結果が電池電圧検出手段１３から入力された電圧値が基準電圧値Ｂ以下の場合には（ステップＳ１６０，Ｎｏ）、基準電圧値Ｂ低下判定手段１５は、出力ポートＰＯＢを介して、全機能停止手段７０に空気調和機のワイヤレス・リモート・コントロール装置の全機能を停止するための全機能停止信号を出力する（ステップＳ１７０）。この通知により、全機能停止手段７０は、送信出力コード送信手段５０が空気調和機の室内機に対しての送信動作と、マイクロコンピュータ１０の処理動作を停止する。具体的には、送信出力コード送信手段５０と電圧低下表示手段６０とへの電源供給を停止し、マイクロコンピュータ１０のスイッチ入力検出手段１１の処理を起動するスイッチマトリクス回路２０からの入力信号の割り込みを禁止する。これにより、空気調和機のワイヤレス・リモート・コントロール装置の操作を行うスイッチマトリクス回路２０からの入力が受付けられず、表示画面の表示が消え、空気調和機の室内機に対して赤外線通信を行えなくなる。
【００３０】
図３は、電池電圧と時間の関係を示している。上述したようにスイッチマトリクス回路２０のスイッチが押されると空気調和機の室内機にユーザーの所望の動作をさせるための送信コードを送信するとともに電池３０の電圧を検出し判定する動作を繰り返すことで、電池３０の電圧は低下していく。しかし、上述した動作を行わない場合でも、電池３０が空気調和機のワイヤレス・リモート・コントロール装置に接続されているだけで、時間とともに電圧が低下していく。そのため、たとえば、スイッチマトリクス回路２０のスイッチが押された場合以外にも、所定の時間毎に電池３０の電圧を検出し、基準電圧値Ａと検出した電圧値とを比較する。図３の場合、時刻ｔ０において、基準電圧値Ａ低下判定手段１４が、電池電圧検出手段１３から入力された電圧値が基準電圧値Ａ以下となったことを検知し、出力ポートＰＯＡを一定時間“Ｈ”にする。すなわち、警告表示信号を出力する。出力ポートＰＯＡが“Ｈ”に変化したことにより、電圧低下表示手段６０は、電池交換警告表示を表示する。
【００３１】
さらに、時間が経過した時刻ｔ１において、基準電圧値Ｂ低下判定手段１５が、電池電圧検出手段１３から入力された電圧値が基準電圧値Ｂ以下になったことを検知し、出力ポートＰＯＢを一定時間“Ｈ”にする。すなわち、全機能停止信号を出力する。出力ポートＰＯＢが“Ｈ”に変化したことにより、全機能停止手段７０は、送信出力コード送信手段５０が空気調和機の室内機に対しての送信動作と、マイクロコンピュータ１０の処理動作を停止する。
【００３２】
このようにこの本実施の形態では、電池電圧検出回路４０が電池３０の電圧を検出し、検出した電圧値を電池電圧検出手段１３に通知する。この通知により、マイクロコンピュータ１０が処理動作を開始し、Ａ＞Ｂの関係が成り立つ２つの基準電圧値Ａ、Ｂと通知された電圧値とを比較する。基準電圧値Ａ低下判定手段１４は、通知された電圧値が基準電圧値Ａ以下の場合、電圧低下表示手段６０に電池交換警告表示を表示する。さらに通知された電圧値が低下し通知された電圧値が基準電圧値以下になると、基準電圧値Ｂ低下判定手段１５が、全機能停止手段７０に全機能停止信号を出力し空気調和機のワイヤレス・リモート・コントロール装置の全ての機能を停止する。すなわち、電池３０の電圧を検出するレベルを２段階にし、初期の電圧低下検出において、電池交換警告表示を行いユーザーに電池交換を促し、つぎの電圧低下検出において、空気調和機のワイヤレス・リモート・コントロール装置の全機能を停止するようにしているため、電池交換を促すだけでなく、電池の交換が行われなかった場合には、マイクロコンピュータの暴走を確実に防ぐことができる。
【００３３】
また、空気調和機のワイヤレス・リモート・コントロール装置の機能を停止し空気調和機の室内機に対して送信を行わないようにしているため、空気調和機の室内機が予期しない動作をすることがなく、故障と電池低下による誤動作をはっきりと区別することができる。
【００３４】
なお、本実施の形態では、電池電圧検出回路４０が電池３０の電圧を検出し、検出した電圧値を電池電圧検出手段１３に通知するようにしたが、たとえば、Ａ／Ｄコンバータを内蔵したマイクロコンピュータなど、電池電圧を検出可能な機能を持ったマイクロコンピュータを用いるようにしても同様の効果が得られる。これにより、空気調和機のワイヤレス・リモート・コントロール装置の部品が削減され、コストを下げることができる。
【００３５】
また、本実施の形態では、電池交換警告表示を行うための基準電圧値Ａと空気調和機のワイヤレス・リモート・コントロール装置の全機能を停止するための基準電圧値Ｂとの２種類の基準電圧値を用意して判定を行ったが、基準電圧値Ｂ低下判定手段１５の代りにタイマー機能を持たせることでも実現できる。すなわち、電池電圧検出手段１３から入力された電圧値が基準電圧値Ａ以下になった場合、電圧低下表示手段６０に電池交換警告表示を行うとともにタイマーに所定時間のカウントを開始させる。タイマーが所定時間をカウントする前に電池交換が行われた場合には、タイマーはリセットされる。タイマーが所定時間のカウントを終了した場合には、全機能停止手段７０に通知することで、空気調和機のワイヤレス・リモート・コントロール装置の機能を停止する。これにより、２種類の基準電圧値を用いた場合と同様の効果が得られるとともに、マイクロコンピュータ１０のプログラムのステップ数を軽減することもできる。
【００３６】
【発明の効果】
以上説明したように、この発明にかかる空気調和機のワイヤレス・リモート・コントロール装置によれば、電池電圧検出回路が空気調和機のワイヤレス・リモート・コントロール装置の電源を供給している電池の電圧を検出し、異なる２種類の基準電圧値を用いて電池の寿命を判定する。まず、検出した電池の電圧が第１の基準電圧値以下に低下した場合は、電池交換警告表示を表示する。さらに電池の電圧が低下し、検出した電池の電圧が第１の基準電圧値よりも小さい第２の基準電圧値以下に低下した場合、空気調和機のワイヤレス・リモート・コントロール装置の全ての機能を停止するようにしているため、電池交換を促すだけでなく、電池の交換が行われなかった場合には、空気調和機のワイヤレス・リモート・コントロール装置の制御を行っているマイクロコンピュータの暴走を確実に防ぐことができる。
【００３７】
つぎの発明によれば、電池電圧検出回路が空気調和機のワイヤレス・リモート・コントロール装置の電源を供給している電池の電圧を検出し、基準電圧値と時間の経過に基づいて電池の寿命を判定する。まず、検出した電池の基準電圧値以下に低下した場合は、電池交換警告表示を表示するとともに所定の時間の計測を開始する。そして、計測が終了した場合には、空気調和機のワイヤレス・リモート・コントロール装置の全ての機能を停止するようにしているため、電池交換を促すだけでなく、電池の交換が行われなかった場合には、空気調和機のワイヤレス・リモート・コントロール装置の制御を行っているマイクロコンピュータの暴走を確実に防ぐことができる。
【図面の簡単な説明】
【図１】本発明の空気調和機のワイヤレス・リモート・コントロール装置の構成を示すブロック図である。
【図２】図１に示したマイクロコンピュータの処理動作を説明するためのフローチャートである。
【図３】電池電圧と時間の関係を示す図である。
【符号の説明】
１０　マイクロコンピュータ、１１　スイッチ入力検出手段、１２　送信出力コード生成手段、１３　電池電圧検出手段、１４　基準電圧値Ａ低下判定手段、１５　基準電圧値Ｂ低下判定手段、２０　スイッチマトリクス回路、３０　電池、４０　電池電圧検出回路、５０　送信出力コード送信手段、６０　電圧低下表示手段、７０　全機能停止手段。
【図１】
2004092946.tif 000003
【図２】
2004092946.tif 000004
【図３】
2004092946.tif 000005